(57)【要約】【課題】放射線画像に付加されるマーク画像の眩しさを低減する。【解決手段】オリジナルマーク画像の眩しさを低減するようにオリジナルマーク画像の形状が加工されたマーク画像１０２ａ、１００ｂ、１０７ａを、取得した被写体の放射線画像６４に設定し、眩しさが低減されたマーク画像１０２ａ、１０２ｂ、１０７ａが付加された放射線画像２０５を表示するようにしたので、読影者に対するマーク画像１００ｂ、１０２ａ、１０７ａの眩しさが低減される。【選択図】図９
2007229268.tif 000002
【特許請求の範囲】
【請求項１】
取得した被写体の放射線画像に対して、前記放射線画像に係る付帯情報をマーク画像として付加して表示する処理を行う放射線画像処理装置において、
オリジナルマーク画像の眩しさを低減するように前記オリジナルマーク画像の形状が加工された加工マーク画像を前記放射線画像に設定する設定手段と、
前記加工マーク画像が付加された前記放射線画像を表示する表示部と
を備えることを特徴とする放射線画像処理装置。
【請求項２】
請求項１記載の放射線画像処理装置において、
前記被写体の放射線画像は濃淡画像であり、
前記オリジナルマーク画像は、光が透過する領域で形成され、
前記加工マーク画像は、前記オリジナルマーク画像の前記光が透過する領域の一部で光の透過量が少なくなるように形成されている
ことを特徴とする放射線画像処理装置。
【請求項３】
請求項１記載の放射線画像処理装置において、
前記オリジナルマーク画像は、標準の文字又は標準の図形からなる画像である
ことを特徴とする放射線画像処理装置。
【請求項４】
背後からの照明光により被写体の放射線画像が濃淡画像として表示される医用のフイルムにおいて、
前記放射線画像に対して、前記放射線画像に係る付帯情報がマーク画像として付加され、
前記マーク画像は、オリジナルマーク画像の眩しさを低減するように前記オリジナルマーク画像の形状が加工された加工マーク画像とされている
ことを特徴とする医用のフイルム。
【請求項５】
請求項４記載の医用のフイルムにおいて、
前記被写体の放射線画像は濃淡画像であり、
前記オリジナルマーク画像は、光が透過する領域で形成され、
前記加工マーク画像は、前記オリジナルマーク画像の前記光が透過する領域の一部で光の透過量が少なくなるように形成されている
ことを特徴とする医用のフイルム。
【請求項６】
請求項５記載の医用のフイルムにおいて、
前記オリジナルマーク画像は、標準の文字又は標準の図形からなる画像である
ことを特徴とする医用のフイルム。
【発明の詳細な説明】
【技術分野】
【０００１】
この発明は、取得した被写体の放射線画像に対して、前記放射線画像に係る付帯情報をマーク画像として付加して表示する処理を行う放射線画像処理装置及び背後からの照明光により放射線画像が濃淡画像として表示される医用のフイルムに関する。
【背景技術】
【０００２】
例えば、医療分野においては、撮像装置を用いて被写体の放射線画像を撮像し、その放射線画像をＣＲＴ等の表示装置に表示して読影し、あるいはフイルムに記録された放射線画像をシャーカステン装置に装着して読影することが行われている。
【０００３】
この場合、被写体の撮影部位を明確にするため、例えば、撮像装置の撮影領域内に撮影部位を示す付帯情報である鉛文字を配置し、被写体とともにこの鉛文字を撮像することが行われる。
【０００４】
また、ＣＡＤ（Ｃｏｍｐｕｔｅｒ  Ａｉｄｅｄ  Ｄｉａｇｎｏｓｉｓ）装置を用いて、取得した放射線画像をソフトウエアにより解析して異常陰影部位を抽出し、この異常陰影部位を示す付帯情報を矢印、丸印、四角印等のマーク画像として放射線画像に付加することも行われている。
【０００５】
例えば、特許文献１では、複数の異常陰影部位に対して異なる色や形状からなるマーク画像を付加する技術を提案している。
【０００６】
また、特許文献２では、放射線画像に対応させて患者情報を表示させるが、その患者情報は、医師の目が疲れる明るい色ではなく比較的に暗い色で表示することが望ましいとする技術を提案している。
【０００７】
さらに、特許文献３では、マーク画像が放射線画像の複数箇所につけられる場合には、１度に１つのみを表示する技術を提案している。
【０００８】
【特許文献１】特開平８−１８６７６２号公報
【特許文献２】特開２０００−３１６８３７号公報
【特許文献３】特開２００４−３３７９０号公報
【発明の開示】
【発明が解決しようとする課題】
【０００９】
ところで、ＣＲＴ等のディスプレイに表示され、あるいは、フイルムに記録される放射線画像は、被写体の撮影部位や撮影条件によって明るさが異なっており、付加される矢印等のマーク画像が明るすぎると、医師等の読影者が眩しいと感じることから、異常陰影部位を視認性よくかつ眩しくない手法でマーク画像を表示することが好ましい。
【００１０】
しかしながら、上記の特許文献１で提案された技術は、異常陰影部位の区別や異常陰影箇所が多数ある場合の区別のために複数種類のマークを使い分けているが、眩しさの低減については考慮がされていない。
【００１１】
また、特許文献２で提案された技術は、眩しさの低減について考慮されているとはいうものの、放射線画像の近傍に比較的暗い色で表示した場合には、放射線画像が濃淡画像であることから表示情報の視認性が低下するという問題が発生する。
【００１２】
さらに、特許文献３で提案された技術においても、眩しさの低減については考慮がされていない。
【００１３】
この発明は、このような課題を考慮してなされたものであって、放射線画像に付加されたマーク画像の視認性を保持し、かつマーク画像の眩しさを低減することを可能とする放射線画像処理装置及び医用のフイルムを提供することを目的とする。
【課題を解決するための手段】
【００１４】
この発明に係る放射線画像処理装置は、取得した被写体の放射線画像に対して、前記放射線画像に係る付帯情報をマーク画像として付加して表示する処理を行う放射線画像処理装置において、オリジナルマーク画像の眩しさを低減するように前記オリジナルマーク画像の形状が加工された加工マーク画像（妨眩マーク画像）を前記放射線画像に設定する設定手段と、前記加工マーク画像が付加された前記放射線画像を表示する表示部とを備えることを特徴とする。
【００１５】
この発明によれば、設定手段が、オリジナルマーク画像の眩しさを低減するように前記オリジナルマーク画像の形状が加工された加工マーク画像を、取得した被写体の放射線画像に設定し、眩しさが低減された前記加工マーク画像が付加された前記放射線画像を表示部に表示するようにしたので、放射線画像上でマーク画像の視認性が保持され、かつマーク画像の眩しさを低減することができる。
【００１６】
また、この発明に係る医用のフイルムは、背後からの照明光により被写体の放射線画像が濃淡画像として表示される医用のフイルムにおいて、前記放射線画像に対して、前記放射線画像に係る付帯情報がマーク画像として付加され、前記マーク画像は、オリジナルマーク画像の眩しさを低減するように前記オリジナルマーク画像の形状が加工された加工マーク画像（妨眩マーク画像）とされていることを特徴とする。
【００１７】
この発明に係る医用のフイルムでは、眩しさを低減するように形状が加工されたマーク画像が放射線画像に付加されているので、シャーカステン装置等により背後から照明光を照射する読影時における読影者に対するマーク画像の眩しさが低減される。
【発明の効果】
【００１８】
この発明によれば、放射線画像に付加されたマーク画像の視認性を保持し、かつマーク画像の眩しさを低減することができる。
【００１９】
結果として、読影者の目の疲労の発生を抑制することができる。
【発明を実施するための最良の形態】
【００２０】
図１は、この発明の放射線画像処理装置が適用された放射線画像処理システム１０の全体構成図である。
【００２１】
放射線画像処理システム１０は、被写体のマンモ（乳房）の放射線画像情報を撮影によって取得する放射線画像撮影装置であるマンモグラフィ装置１２と、マンモグラフィ装置１２によって取得した放射線画像情報に対して、異常陰影部位の自動検出等の画像処理を行う画像処理部を有する放射線画像処理装置であるＣＡＤ装置１４と、医師による診断を行うためＣＡＤ装置１４によって画像処理された放射線画像情報を表示する画像表示装置（ビューア、表示部）１６、１８と、放射線画像情報をフイルムＦ（医用のフイルム）等に出力する画像出力装置（プリンタ）２０と、医師による診断を行うため、装着された医用のフイルムＦを背後から照明光により照明するシャーカステン装置２１と、医師による診断結果が付加された放射線画像情報を蓄積するサーバである放射線画像情報蓄積装置２２とを備える。これらの装置は、ネットワーク２４によって相互に接続される。
【００２２】
図２は、マンモグラフィ装置１２の構成図である。マンモグラフィ装置１２は、垂直方向に延びた基台２６と、基台２６の略中央部に設けられる旋回軸２８に固定されるアーム部材３０と、被写体３２に対して放射線を照射する放射線源を収納し、アーム部材３０の一端部に固定される放射線源収納部３４と、被写体３２を透過した放射線を検出して放射線画像情報を取得する固体検出器を収納し、アーム部材３０の他端部に固定される撮影台３６と、撮影台３６に対して被写体３２のマンモを押圧して保持する押圧板３８とを備える。
【００２３】
放射線源収納部３４及び撮影台３６が固定されたアーム部材３０は、旋回軸２８を中心として矢印Ａ方向に旋回することで、被写体３２のマンモに対する撮影方向が調整可能に構成される。押圧板３８は、アーム部材３０に連結された状態で放射線源収納部３４及び撮影台３６間に配設されており、矢印Ｂ方向に変位可能に構成される。
【００２４】
また、基台２６には、マンモグラフィ装置１２によって検出された被写体３２の撮影部位、撮影方向等の撮影情報、被写体３２のＩＤ情報等を表示するとともに、必要に応じてこれらの情報を設定可能な表示操作部４０が設けられる。
【００２５】
図３は、マンモグラフィ装置１２における撮影台３６の内部構成図であり、撮影台３６及び押圧板３８間に被写体３２の撮影部位であるマンモ４４を設定した状態を示す。
【００２６】
撮影台３６の内部には、放射線源収納部３４に内蔵された放射線源から出力された放射線Ｘに基づく放射線画像情報を蓄積し、電気信号として出力する固体検出器４６と、固体検出器４６に蓄積記録された放射線画像情報を読み取るために、固体検出器４６に読取光を照射する読取光源４８と、固体検出器４６に蓄積されている不要電荷を除去するために、固体検出器４６に消去光を照射する消去光源５０とを備える。
【００２７】
固体検出器４６は、直接変換方式かつ光読出方式の放射線固体検出器であって、マンモ４４を透過した放射線Ｘからなる放射線画像情報を静電潜像として蓄積し、読取光源４８からの読取光により走査されることで、静電潜像に応じた電流を発生する。固体検出器４６は、放射線画像情報の記録時にはマンモ４４に近接する部位に移動し、消去時には消去光源５０に近接する部位に移動するように構成される。
【００２８】
固体検出器４６は、より具体的には、ガラス基板上に形成され、放射線Ｘを透過する第１導電層と、放射線Ｘが照射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘを透過する第２導電層とを順に積層して構成される。記録用光導電層と電荷輸送層との界面には、蓄電部が形成される。
【００２９】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向、線状電極の延在する方向が副走査方向に対応する。
【００３０】
読取光源４８は、例えば、複数のＬＥＤチップを一列に並べて構成されるライン光源と、ライン光源から出力された読取光を固体検出器４６上に線状に照射させる光学系とを有し、固体検出器４６の第２導電層である線状電極の延在方向と直交する方向にＬＥＤチップが配列されたライン光源を前記線状電極の延在方向に移動させることで固体検出器４６の全面を露光走査する。
【００３１】
消去光源５０は、短時間で発光及び消光し、かつ、残光の非常に小さい光源が好適であり、例えば、読取光源４８を構成するＬＥＤチップの配列方向に延在し、かつ、前記配列方向と直交する方向に配列される複数の外部電極型希ガス蛍光ランプを使用することができる。
【００３２】
図４は、ＣＡＤ装置１４を構成する制御回路のブロック図である。ＣＡＤ装置１４は、マイクロコンピュータを含む。マイクロコンピュータは、計算機であり、ＣＰＵ（中央処理装置）、メモリであるＲＯＭ（ＥＥＰＲＯＭも含む。）、ＲＡＭ、その他、入出力装置、計時手段としてのタイマ等を有しており、ＣＰＵがメモリに記憶されたプログラムを実行することで各種機能手段として機能する。
【００３３】
ＣＡＤ装置１４は、ネットワーク２４を介して、マンモグラフィ装置１２、画像表示装置１６、１８、画像出力装置２０、放射線画像情報蓄積装置２２との間で情報の送受信を行うインタフェース（Ｉ／Ｆ）５２と、マンモグラフィ装置１２から送信された被写体３２の放射線画像データを記憶する放射線画像データメモリ５４と、放射線画像データを解析して異常陰影部位を検出する異常陰影部位検出部５６と、オリジナルマーク画像データを記憶するオリジナルマーク画像データ記憶部５７と、異常陰影部位、撮影部位等を含む放射線画像に係る付帯情報を表示するマーク画像データ（加工画像データ）と放射線画像データとの関係をデータテーブルとして記憶するマーク画像データテーブル記憶部５８（テーブル記憶手段）と、マーク画像データ設定部６０（設定手段）と、マーク画像データ設定部６０で設定されたマーク画像データを記憶するマーク画像データ記憶部６２と、オリジナルマーク画像、加工マーク画像（妨眩マーク画像）及び（又は）放射線画像を表示するＣＲＴのディスプレイ５３とを備える。ディスプレイ５３は、ＣＲＴの他、ＬＣＤ、プラズマ等に代替可能である。
【００３４】
この実施形態において、オリジナルマーク画像データ記憶部５７に記憶されているオリジナルマーク画像データは、基本的には、ＪＩＳ図形文字用符号表等に規定されている人が文字・記号として視認可能な標準の文字又は標準の図形からなる画像を表すデータである。
【００３５】
図５は、オリジナルマーク画像データ記憶部５７に記憶されているオリジナルマーク画像データが表すオリジナルマーク画像１００、１０２、１０４、１０６の例を示している。
【００３６】
オリジナルマーク画像１００は、矢印部がフイルムＦあるいはディスプレイ５３上で光透過部（明部）となる矢印形状の画像である。
【００３７】
オリジナルマーク画像１０２は、正方形輪郭部が光透過部（明部）となる正方形輪郭形状の画像である。
【００３８】
オリジナルマーク画像１０４は、円形輪郭部が光透過部あるいは明部となる円形輪郭形状の画像である。
【００３９】
オリジナルマーク画像１０６は、×印部が光透過部あるいは明部となる×印形状の画像である。
【００４０】
マーク画像データ設定部６０は、オリジナルマーク画像データ記憶部５７に記憶されているオリジナルマーク画像１００、１０２、１０４、１０６を、オリジナルマーク画像１００、１０２、１０４、１０６の眩しさを低減するように形状を加工して加工マーク画像データを作成してマーク画像データテーブル記憶部５８に転送するとともに、マンモグラフィ装置１２から供給される撮影方向データ、撮像部位データ、放射線画像データメモリ５４から供給される放射線画像データ、異常陰影部位検出部５６から供給される異常陰影部位データ、及びマーク画像データテーブル記憶部５８から供給されるマーク画像データテーブルに基づき、放射線画像に重畳させて表示するマーク画像データを設定する。
【００４１】
なお、マーク画像データテーブル記憶部５８に記憶されるデータテーブルは、図６に示すように、放射線画像データが表す画像２０１に対するマーク画像データ（加工マーク画像データ）が表す画像２０２〜２０４の関係として設定される。
【００４２】
この実施形態の放射線画像処理システム１０は、基本的には以上のように構成されるものであり、次にその動作について説明する。
【００４３】
先ず、図示しないコンソール、ＩＤカード等を用いて、被写体３２に係るＩＤ情報、撮影方法等の設定を行う。この場合、ＩＤ情報には、被写体３２の氏名、年齢、性別等の情報があり、ネットワーク２４に接続された上位の装置、あるいは、被写体３２が所持するＩＤカードから取得することが可能である。また、撮影方法には、医師によって指示された撮影部位、撮影方向等の情報があり、ネットワーク２４に接続された上位の装置から取得し、あるいは、図示しないコンソールから技師が入力することが可能である。これらの情報は、マンモグラフィ装置１２の表示操作部４０に表示して確認することができる。
【００４４】
次いで、技師は、指定された撮影方法に従ってマンモグラフィ装置１２を所定の状態に設定する。例えば、マンモ４４の撮影方法としては、上部から放射線Ｘを照射して撮影を行う頭尾方向（ＣＣ）撮影（図２、図３参照）、側面から放射線Ｘを照射して撮影を行う側面方向（ＭＬ）撮影、斜め方向から放射線Ｘを照射して撮影を行う内外側斜位（ＭＬＯ）撮影があり、これらの撮影方法に応じてアーム部材３０を旋回軸２８を中心に旋回させる。
【００４５】
次に、マンモグラフィ装置１２に対して被写体３２を指定された撮影状態に設定する。例えば、被写体３２の左のマンモ４４に対する頭尾方向（ＣＣ）撮影を行う場合、図３に示すように、左のマンモ４４を撮影台３６に載置した後、押圧板３８を押し下げ、撮影台３６及び押圧板３８間にマンモ４４を保持させる。
【００４６】
被写体３２の撮影部位が撮影台３６の所定位置に設定された後、放射線源収納部３４に収納されている放射線源を駆動し、放射線画像情報の撮影を行う。
【００４７】
押圧板３８及び撮影台３６間に保持されたマンモ４４を透過した放射線Ｘは、撮影台３６に収納されている固体検出器４６に照射される。なお、固体検出器４６は、撮影に先立ち、消去光源５０からの消去光が全面に照射されて不要電荷が除去された後、図３の二点鎖線で示す位置に配置されている。
【００４８】
次いで、高電圧供給部から第１導電層及び第２導電層間に高電圧を印加した状態において、放射線画像情報を担持した放射線Ｘが固体検出器４６に照射されると、固体検出器４６の記録用光導電層内で正負の電荷対が発生し、その負電荷が記録用光導電層と電荷輸送層との界面に形成された蓄電部に蓄積される。この蓄積された負電荷、すなわち、潜像極性電荷の量は、マンモ４４を透過した放射線Ｘの線量に略比例している。なお、記録用光導電層で発生した正電荷は、第１導電層に引き寄せられ、高電圧供給部から供給された負電荷と結合して消滅する。
【００４９】
放射線画像情報の撮影が行われた後、固体検出器４６は、図３の実線で示す読取位置に移動する。次いで、読取光源４８が固体検出器４６に沿って矢印方向に移動して読取光が照射されると、読取用光導電層に正負の電荷対が発生し、その正電荷が蓄電部に蓄積されている負電荷（潜像極性電荷）に引きつけられるようにして電荷輸送層内を移動し、蓄電部の負電荷と結合して消滅する。一方、読取用光導電層で発生した負電荷は、高電圧供給部から第２導電層に供給される正電荷と結合して消滅する。このようにして、固体検出器４６に蓄積されている負電荷が電荷結合によって消滅し、この電荷結合の際の電荷の移動による電流が固体検出器４６内に発生する。
【００５０】
固体検出器４６内に発生した電流は、放射線画像データとして読み取られ、ネットワーク２４を介してＣＡＤ装置１４に送信される。この際、放射線画像データとともに、被写体３２のＩＤ情報、撮影方向データ及び撮影部位データを含む付帯情報もＣＡＤ装置１４に送信される。一方、放射線画像データの読み取られた固体検出器４６には、次の撮影を行うため、消去光源５０から発せられた消去光が照射され、蓄積されている不要電荷が除去される。
【００５１】
Ｉ／Ｆ５２を介して放射線画像データ及び付帯情報を取得したＣＡＤ装置１４は、異常陰影部位検出部５６において、放射線画像データメモリ５４から放射線画像データを読み出して解析し、異常陰影部位の自動検出を行う。例えば、乳癌のＣＡＤ処理においては、微小石灰化陰影部位や腫瘤陰影部位を放射線画像から抽出することができる。
【００５２】
検出された異常陰影部位のデータは、マーク画像データ設定部６０に供給され、異常陰影部位を放射線画像に重ねて表示するためのマーク画像の設定が行われる。
【００５３】
例えば、図６に示すように、マンモ４４の放射線画像６４中に２つの異常陰影部位６６ａ、６６ｂが存在していた場合、マーク画像データ設定部６０は、各異常陰影部位６６ａ、６６ｂに対応して、所定形状からなるマーク画像１０２ａ、１００ｂを生成する。
【００５４】
ここで、マーク画像１０２ａ、１００ｂは、オリジナルマーク画像データ記憶部５７から読み出されたオリジナルマーク画像データが、マーク画像データ設定部６０により加工されて生成されたマーク画像データが表す画像である。
【００５５】
例えば、図７の上段に示すように、塗りつぶしだと眩しいオリジナルマーク画像１００が、縁のみのマーク画像１００ａあるいは縁をより太くしたマーク画像１００ｂとされる。
【００５６】
また、図７の中段に示すように、マーク画像１００ａの矢印の後端の線を削ったマーク画像１００ｃとすることができる。さらに、オリジナルマーク画像１０６の中央部を削ったマーク画像１０６ａを生成することができる。さらにまた、オリジナルマーク画像１０２の辺を削ったマーク画像１０２ａとすることができる。
【００５７】
さらに、図７の下段に示すように、１ドット（画素）当たりの明るさは同じであるがドット数を減少させたマーク画像１００ｄ、１０６ｂ、１０２ｂ、１０４ａとすることができる。さらに、縁だけでは見難い場合には、千鳥格子上のマーク画像１００ｄとすることができる。
【００５８】
これらマーク画像１００ａ等の選択は、マーク画像１００ａ等を貼り込む放射線画像部の濃度を考慮して一定のコントラストが得られるように設定してもよく、簡易的には、予め定めた所定の濃度としておいてもよい。
【００５９】
なお、この実施形態においては、マーク画像データ設定部６０において、オリジナルマーク画像の眩しさを低減するように加工し、加工したマーク画像の拡大・縮小等を行っているが、図８に示すように、オリジナルマーク画像データ記憶部５７に代替して、オリジナルマーク画像が加工されたマーク画像を表す加工マーク画像データを記憶する加工画像データ記憶部５９を設ける構成とすれば、マーク画像データ設定部６０において、オリジナルマーク画像の眩しさを低減するように加工する加工処理（加工プログラム）は不要となる。
【００６０】
図４に示すマーク画像データ設定部６０は、マンモグラフィ装置１２から送信される被写体３２のＩＤ情報、撮影方向データ及び撮影部位データを含む付帯情報を示すマーク画像１０７ａを生成する。例えば、図６に示す「ＣＣＲ」のマーク画像１０７ａは、当該放射線画像６４が右側のマンモ４４（Ｒ）の頭尾方向（ＣＣ）撮影画像であることを表している。
【００６１】
ＣＡＤ装置１４は、異常陰影部位６６ａ、６６ｂの検出処理及びマーク画像データの設定処理が終了すると、放射線画像データ、異常陰影部位データ及びマーク画像データを、Ｉ／Ｆ５２及びネットワーク２４を介して画像表示装置１６、１８に送信する。
【００６２】
画像表示装置１６、１８は、及びＣＡＤ装置１４のディスプレイ５３は、取得した各データに基づき、例えば、図９に示すように、放射線画像６４に対して、異常陰影部位６６ａ、６６ｂの画像と、マーク画像１００ｂ、１０２ａ、１０７ａとを重畳させた放射線画像２０５として表示し、医師による読影に供する。なお、これらのデータは、必要に応じて、ネットワーク２４を介して画像出力装置２０及び放射線画像情報蓄積装置２２に送信され、画像出力装置２０を用いてフイルムＦ等に出力してシャーカステン装置２１によりフイルムＦ上の放射線画像２０５として読影に供することができるとともに、放射線画像情報蓄積装置２２に蓄積保存することができる。
【００６３】
以上説明したように上述した実施形態によれば、オリジナルマーク画像１０２、１０２、１０４、１０６等の眩しさを低減するようにオリジナルマーク画像１０２、１０２、１０４、１０６等の形状が加工された加工マーク画像１００ａ、１０２ａ、１０４ａ、１０６ａ等を、取得した被写体の放射線画像６４に設定し、眩しさが低減された加工マーク画像１００ａ、１０２ａ、１０４ａ、１０６ａ等が付加された放射線画像２０５を画像表示装置１６、１８、ディスプレイ５３に表示するようにしたので、例えば図９に示す放射線画像２０５上でマーク画像１００ｂ、１０２ａ、１０７ａの視認性が保持され、かつマーク画像１００ｂ、１０２ａ、１０７ａの眩しさを低減することができる。また、眩しさを低減するように形状が加工されたマーク画像１００ｂ、１０２ａ、１０７ａが放射線画像６４に付加された医用のフイルムＦが装着されたシャーカステン装置２１により背後から照明光を照射する読影時における読影者に対するマーク画像１００ｂ、１０２ａ、１０７ａの眩しさが低減される。
【００６４】
従って、当該放射線画像６４を読影する医師等は、マーク画像１００ｂ、１０２ａ、１０７ａを眩しく感じたり、目の疲労を感じることがなく、また、マーク画像１００ｂ、１０２ａ、１０７ａを視認し難いといった不具合が生じることがなく、極めて良好な状態で読影処理を行うことができる。
【００６５】
なお、放射線画像処理システム１０を構成するネットワーク２４としては、有線ＬＡＮ、無線ＬＡＮ、赤外線通信、シリアルケーブルを介した通信、電話線によるもの等により構成することができる。ネットワーク２４は、例えば、ＤＩＣＯＭ（Ｄｉｇｉｔａｌ  Ｉｍａｇｉｎｇ  Ａｎｄ  Ｃｏｍｍｕｎｉｃａｔｉｏｎｓ  Ｉｎ  Ｍｅｄｉｃｉｎｅ）方式によるプロトコルに従って情報の授受を行うものとして構成すると好適である。
【００６６】
さらに、本実施形態は、ネットワーク２４を介することなく、メモリカードに撮影部位情報、撮影方向情報及び放射線画像情報を保持させ、このメモリカードを介して情報の授受を行うようにしてもよい。
【００６７】
なお、この発明は、上述した実施形態に限定されるものではなく、この発明の主旨を逸脱しない範囲で自由に変更できることは勿論である。
【図面の簡単な説明】
【００６８】
【図１】この実施形態の放射線画像処理システムの全体構成図である。
【図２】この実施形態のマンモグラフィ装置の構成図である。
【図３】この実施形態のマンモグラフィ装置における撮影台の内部構成図である。
【図４】この実施形態のＣＡＤ装置を構成する制御回路のブロック図である。
【図５】オリジナルマーク画像の説明図である。
【図６】放射線画像、異常陰影部位、及び、これらに重畳して表示するマーク画像の説明図である。
【図７】オリジナルマーク画像から加工マーク画像への加工処理の説明図である。
【図８】他の実施形態のＣＡＤ装置を構成する制御回路のブロック図である。
【図９】放射線画像に対して、異常陰影画像及びマーク画像を重畳して表示した状態の説明図である。
【符号の説明】
【００６９】
１０…放射線画像処理システム          １２…マンモグラフィ装置
１４…ＣＡＤ装置                      １６、１８…画像表示装置
２０…画像出力装置                    ２２…放射線画像情報蓄積装置
６０…マーク画像データ設定部          ６４…放射線画像
６６ａ、６６ｂ…異常陰影部位
１０２ａ、１０２ｂ、１０７ａ…マーク画像
【図１】
2007229268.tif 000003
【図２】
2007229268.tif 000004
【図３】
2007229268.tif 000005
【図４】
2007229268.tif 000006
【図５】
2007229268.tif 000007
【図６】
2007229268.tif 000008
【図７】
2007229268.tif 000009
【図８】
2007229268.tif 000010
【図９】
2007229268.tif 000011